【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
第１の時間間隔のフレームレートで撮像部に撮像を実行させる撮像制御手段と、
前記第１の時間間隔とは異なる第２の時間間隔のリフレッシュレートで、前記撮像部により得られた画像を表示部に表示させる表示制御手段と、
前記撮像部により得られた画像を前記表示部に表示することが可能な待機状態となってから、前記表示制御手段が前記リフレッシュレートにしたがって当該画像を前記表示部に表示させるまでの表示待ち時間を計測する計測手段と、
前記計測手段で計測された前記表示待ち時間に基づいて、前記撮像部により画像が撮像されてから前記表示部に表示されるまでの表示遅延時間が短くなるように、前記撮像部により前記フレームレートで実行される撮像の開始タイミングを変更する変更手段とを備えることを特徴とする撮像表示装置。
【請求項２】
前記変更手段は、前記開始タイミングを、前記表示待ち時間から予め定められた時間を差し引いて得られる調整時間だけ遅らせることを特徴とする請求項１に記載の撮像表示装置。
【請求項３】
前記変更手段は、前記開始タイミングを、前記表示待ち時間を前記第２の時間間隔から差し引いた時間に予め定められた時間を加えて得られる調整時間だけ早めることを特徴とする請求項１に記載の撮像表示装置。
【請求項４】
前記変更手段は、
前記表示待ち時間を前記第２の時間間隔から差し引いた時間に予め定められた時間を加えて得られる調整時間だけ前記開始タイミングを早める変更をした場合に、当該変更時における撮像時間間隔が予め定められた時間間隔以上か否かを判定する判定手段と、
前記判定手段により、前記撮像時間間隔が前記予め定められた時間間隔以上であると判定された場合は、前記開始タイミングを、前記調整時間だけ早める第１調整手段と、
前記判定手段により、前記撮像時間間隔が予め定められた時間間隔以上でないと判定された場合は、前記開始タイミングを、前記表示待ち時間から予め定められた時間を差し引いて得られる調整時間だけ遅らせる第２調整手段とを備えることを特徴とする請求項１に記載の撮像表示装置。
【請求項５】
第１の時間間隔のフレームレートで撮像部に撮像を実行させる撮像制御手段と、
前記第１の時間間隔とは異なる第２の時間間隔のリフレッシュレートで、前記撮像部により得られた画像を表示部に表示させる表示制御手段と、
前記撮像部により得られた画像を前記表示部に表示することが可能な待機状態となってから、前記表示制御手段が前記リフレッシュレートにしたがって当該画像を前記表示部に表示させるまでの表示待ち時間を計測する計測手段と、
前記撮像部により画像が撮像されてから前記表示部に表示されるまでの表示遅延時間が短くなるように、前記計測手段で計測された前記表示待ち時間に基づいて前記撮像から前記待機状態となるまでの間の前記画像に対する処理内容を変更する変更手段とを備えることを特徴とする撮像表示装置。
【請求項６】
前記変更手段は、前記撮像から画像メモリに画像が格納されるまでの間の複数の処理のうちの少なくとも１つの実行を禁止することにより前記処理内容を変更することを特徴とする請求項５に記載の撮像表示装置。
【請求項７】
前記撮像によって得られた画像が画像メモリに格納された後に、該画像メモリに格納された該画像に対して複数の画像処理を実行する処理手段を更に備え、
前記変更手段は前記処理手段による前記複数の画像処理の少なくとも一つの実行を禁止することにより前記処理内容を変更することを特徴とする請求項５に記載の撮像表示装置。
【請求項８】
予め定められた撮像の回数毎及びユーザからの予め定められた操作の検出毎の少なくともいずれかで、前記変更手段を機能させることを特徴とする請求項１乃至７のいずれか１項に記載の撮像表示装置。
【請求項９】
前記撮像部は、Ｘ線発生部と、Ｘ線検出器を備えることを特徴とする請求項１乃至８のいずれか１項に記載の撮像表示装置。
【請求項１０】
第１の時間間隔のフレームレートで撮像部に撮像を実行させる撮像制御装置と、
前記第１の時間間隔とは異なる第２の時間間隔のリフレッシュレートで、前記撮像部により得られた画像を表示部に表示させる表示制御装置とを備える撮像表示システムであって、
前記撮像部により得られた画像を前記撮像制御装置から前記表示制御装置へ送信する送信手段と、
前記送信手段により送信された画像を前記表示部によって表示することが可能な待機状態となってから、前記表示制御装置が前記リフレッシュレートにしたがって当該画像を前記表示部に表示させるまでの表示待ち時間を計測する計測手段と、
前記計測手段で計測された前記表示待ち時間に基づいて、前記撮像部により画像が撮像されてから前記表示部に表示されるまでの表示遅延時間が短くなるように、前記撮像部により前記フレームレートで実行される撮像の開始タイミングを変更するための調整時間を算出する算出手段と、
前記調整時間により前記撮像部における撮像の開始タイミングを変更する変更手段とを備えることを特徴とする撮像表示システム。
【請求項１１】
第１の時間間隔のフレームレートで撮像部に撮像を実行させる撮像制御装置と、
前記第１の時間間隔とは異なる第２の時間間隔のリフレッシュレートで、前記撮像部により得られた画像を表示部に表示させる表示制御装置とを備える撮像表示システムであって、
前記撮像部により得られた画像を前記撮像制御装置から前記表示制御装置へ送信する送信手段と、
前記送信手段により送信された画像を前記表示部によって表示することが可能な待機状態となってから、前記表示制御装置が前記リフレッシュレートにしたがって当該画像を前記表示部に表示させるまでの表示待ち時間を計測する計測手段と、
前記計測手段で計測された前記表示待ち時間に基づいて、前記撮像部により画像が撮像されてから前記表示部に表示されるまでの表示遅延時間を短くするための調整時間を算出する算出手段と、
前記撮像部により画像が撮像されてから前記表示部に表示されるまでの表示遅延時間が短くなるように、前記調整時間に基づいて、前記撮像から前記待機状態となるまでの間の処理内容を変更する変更手段とを備えることを特徴とする撮像表示システム。
【請求項１２】
前記送信手段は、更に、前記算出手段で算出された調整時間を前記表示制御装置から前記撮像制御装置へ送信することを特徴とする請求項１０又は１１に記載の撮像表示システム。
【請求項１３】
前記算出手段は、前記撮像制御装置に設けられており、
前記送信手段は、前記計測手段で計測された前記表示待ち時間を前記表示制御装置から前記撮像制御装置へ送信することを特徴とする請求項１０又は１１に記載の撮像表示システム。
【請求項１４】
前記計測手段は、前記撮像制御装置に設けられており、
前記送信手段は、前記表示制御装置において、前記待機状態となったタイミングで発生する信号と、前記表示制御装置において待機状態にある画像データが表示されたタイミングで発生する信号とを前記撮像制御装置へ送信することを特徴とする請求項１０又は１１に記載の撮像表示システム。
【請求項１５】
前記変更手段は、前記撮像制御装置において、前記撮像から画像メモリに画像を格納するまでの間に実行される複数の処理のうちの少なくとも１つの実行を禁止することにより処理内容を変更することを特徴とする請求項１１に記載の撮像表示システム。
【請求項１６】
前記表示制御装置は、前記撮像部によって得られた画像データが画像メモリに格納された後に、該画像メモリに格納された該画像データに対して複数の画像処理を実行する処理手段を更に備え、
前記変更手段は前記処理手段による前記複数の画像処理の少なくとも１つの実行を禁止することを特徴とする請求項１１に記載の撮像表示システム。
【請求項１７】
撮像表示装置による撮像表示制御方法であって、
撮像制御手段が、第１の時間間隔のフレームレートで撮像部に撮像を実行させる撮像制御工程と、
表示制御手段が、前記第１の時間間隔とは異なる第２の時間間隔のリフレッシュレートで、前記撮像部により得られた画像を表示部に表示させる表示制御工程と、
計測手段が、前記撮像部により得られた画像を前記表示部に表示することが可能な待機状態となってから、前記表示制御工程において前記リフレッシュレートで当該画像が前記表示部に表示されるまでの表示待ち時間を計測する計測工程と、
変更手段が、前記計測工程で計測された前記表示待ち時間に基づいて、前記撮像部により画像が撮像されてから前記表示部に表示されるまでの表示遅延時間が短くなるように、前記撮像部により前記フレームレートで実行される撮像の開始タイミングを変更する変更工程とを有することを特徴とする撮像表示制御方法。
【請求項１８】
撮像表示装置による撮像表示制御方法であって、
撮像制御手段が、第１の時間間隔のフレームレートで撮像部に撮像を実行させる撮像制御工程と、
表示制御手段が、前記第１の時間間隔とは異なる第２の時間間隔のリフレッシュレートで、前記撮像部により得られた画像を表示部に表示させる表示制御工程と、
計測手段が、前記撮像部により得られた画像データを前記表示部に表示することが可能な待機状態となってから、前記表示制御工程において当該画像が前記表示部に表示されるまでの表示待ち時間を計測する計測工程と、
変更手段が、前記撮像部により画像が撮像されてから前記表示部に表示されるまでの表示遅延時間が短くなるように、前記計測工程で計測された前記表示待ち時間に基づいて前記撮像から前記待機状態となるまでの間の前記画像に対する処理内容を変更する変更工程とを有することを特徴とする撮像表示制御方法。
【請求項１９】
請求項１７又は１８に記載の撮像表示制御方法をコンピュータに実行させるためのコンピュータプログラム。
【請求項２０】
請求項１７又は１８に記載の撮像表示制御方法をコンピュータに実行させるためのコンピュータプログラムを格納したコンピュータ読取可能な記憶媒体。
【手続補正２】
【補正対象書類名】明細書
【補正対象項目名】０００８
【補正方法】変更
【補正の内容】
【０００８】
上記の目的を達成するための本発明の一態様による撮像表示装置は以下の構成を備える。即ち、
第１の時間間隔のフレームレートで撮像部に撮像を実行させる撮像制御手段と、
前記第１の時間間隔とは異なる第２の時間間隔のリフレッシュレートで、前記撮像部により得られた画像を表示部に表示させる表示制御手段と、
前記撮像部により得られた画像を前記表示部に表示することが可能な待機状態となってから、前記表示制御手段が前記リフレッシュレートにしたがって当該画像を前記表示部に表示させるまでの表示待ち時間を計測する計測手段と、
前記計測手段で計測された前記表示待ち時間に基づいて、前記撮像部により画像が撮像されてから前記表示部に表示されるまでの表示遅延時間が短くなるように、前記撮像部により前記フレームレートで実行される撮像の開始タイミングを変更する変更手段とを備える。
【手続補正３】
【補正対象書類名】明細書
【補正対象項目名】０００９
【補正方法】変更
【補正の内容】
【０００９】
また、上記の目的を達成するための、本発明の他の態様による撮像表示装置は以下の構成を備える。即ち、
第１の時間間隔のフレームレートで撮像部に撮像を実行させる撮像制御手段と、
前記第１の時間間隔とは異なる第２の時間間隔のリフレッシュレートで、前記撮像部により得られた画像を表示部に表示させる表示制御手段と、
前記撮像部により得られた画像を前記表示部に表示することが可能な待機状態となってから、前記表示制御手段が前記リフレッシュレートにしたがって当該画像を前記表示部に表示させるまでの表示待ち時間を計測する計測手段と、
前記撮像部により画像が撮像されてから前記表示部に表示されるまでの表示遅延時間が短くなるように、前記計測手段で計測された前記表示待ち時間に基づいて前記撮像から前記待機状態となるまでの間の前記画像に対する処理内容を変更する変更手段とを備える。